(57)【特許請求の範囲】
【請求項１】
座部（２）と背もたれ部（３）とを有する座席本体（４）を備え、座席本体（４）の背もたれ部（３）の上方にヘッドレスト（５）が設けられた自転車用幼児座席において、
ヘッドレスト（５）と背もたれ部（３）とは軸心が左右方向へ向いたヒンジ軸（８４）を有する首関節部（８５）により前後揺動自在に連結されることでヘッドレスト（５）が背もたれ部（３）の上部に位置する使用ポジションとこの使用ポジションよりも後方へ倒れた控えポジションとに姿勢変更可能になっており、
この首関節部（８５）にはヘッドレスト（５）を使用ポジションで固定又は固定解除する首折れ操作手段（９５）が設けられており、
前記ヘッドレスト（５）には支持脚（４５）が下方突設され、
前記背もたれ部（３）には支持脚（４５）を上下移動自在に嵌合保持する保持筒部（４６）が設けられ、
この保持筒部（４６）に支持脚（４５）を複数高さ位置で固定又はこの固定を解除する高さ調節手段（４４）が設けられ、
上記支持脚（４５）はヘッドレスト（５）に一体的に設けられたネック片（８０）とこのネック片（８０）に連結された脚本体（８１）とを有し、
これらネック片（８０）と脚本体（８１）との連結部分で前記首関節部（８５）が形成されており、
前記首折れ操作手段（９５）はネック片（８０）に設けられた操作部（１００）と脚本体（８１）に設けられた係止孔（１０１）とを有しており、
上記操作部（１００）は、ネック片（８０）に前後貫通して形成された保持孔（１０５）に対して回転自在に保持された操作軸（１０６）と、ネック片（８０）の正面側へ向く上記操作軸（１０６）の軸端部（１０６ａ）に当該操作軸（１０６）と一体回転可能に設けられた抜止片（１０７）と、ネック片（８０）の背面側へ向く上記操作軸（１０６）の軸端部（１０６ａ）に当該操作軸（１０６）と一体回転可能に設けられた操作ツマミ（１０８）とを有し、
上記係止孔（１０１）は、上記抜止片（１０７）が操作軸（１０６）まわりで回転されることで抜止片（１０７）を通過可能状態と通過不能状態とに切替可能にする開口形状に形成されたものとなっていることを特徴とする自転車用幼児座席。
【請求項２】
前記操作軸（１０６）にはその径方向へ突出した状態で可撓性を有するストッパ片（１２１）が設けられた位置決め部材（１２０）が当該操作軸（１０６）と一体回転可能に設けられており、
前記ネック片（８０）には上記位置決め部材（１２０）のストッパ片（１２１）が回転する領域内で当該ストッパ片（１２１）と接触するが操作軸（１０６）の回転力で当該ストッパ片（１２１）が撓み変形を伴って乗り越え可能となる程度の突出量を有した位置決め突起（１３０）が、ストッパ片（１２１）を嵌め入れ可能な相互間隔をおいて複数設けられていることを特徴とする請求項１に記載の自転車用幼児座席。
【請求項３】
前記高さ調節手段（４４）は、背もたれ部（３）の保持筒部（４６）に設けられこの保持筒部（４６）に嵌合された支持脚（４５）に向けて出退する方向で弾性変形可能とされた弾性支持片（４８）と、
ヘッドレスト（５）の支持脚（４５）に上下方向に並んで設けられた凹凸列（５０）と、
上記弾性支持片（４８）に設けられ支持脚（４５）の凹凸列（５０）と係脱自在とされた係合突部（５１）と、
この係合突部（５１）が凹凸列（５０）に係合した状態にロックすべく弾性支持片（４８）を支持脚（４５）に向けて押圧するように締め付ける締結具（５４）とを有していることを特徴とする請求項１又は請求項２に記載の自転車用幼児座席。
【発明の詳細な説明】
【技術分野】
【０００１】
本発明は、自転車に装着される自転車用幼児座席に関する。
【背景技術】
【０００２】
自転車用幼児（子供）座席には、座部と背もたれ部とを有する座席本体を備え、座席本体の背もたれ部の上方にヘッドレストが高さ調整自在に設けられたものがある。この種の従来の自転車用幼児座席は、幼児座席の背凭れの上部にヘッドレストを高さ調整可能とする装置として、上下方向のガイド部材に対してヘッドレストを左右２カ所でクランプ部材を介してネジとナットで締結するようにしたものが知られている（例えば、特許文献１）。
【特許文献１】登録実用新案第３０５８８４２号公報
【発明の開示】
【発明が解決しようとする課題】
【０００３】
上記従来の自転車用幼児座席を自転車の前部（前輪の上方、ハンドルの中央又はハンドルの後部）に前向きで装着した状態にし、この自転車用幼児座席に対して自転車のハンドル後方側から幼児を乗せたり降ろしたりするのにヘッドレストの上方を超えさせる必要が生じ、その分、幼児を高く持ち上げなければならないために、強い力を要し、困難になるということがあった。
【０００４】
本発明は、上記事情に鑑みてなされたものであって、幼児の乗せ降ろし時にヘッドレストが邪魔にならずに、容易に幼児を乗せ降ろしできるようにした自転車用幼児座席を提案することを目的とする。
【課題を解決するための手段】
【０００５】
前記目的を達成するために、本発明は次の手段を講じた。
即ち、本発明に係る自転車用幼児座席は、座部と背もたれ部とを有する座席本体を備え、座席本体の背もたれ部の上方にヘッドレストが設けられたものであって、ヘッドレストと背もたれ部とは軸心が左右方向へ向いたヒンジ軸を有する首関節部により前後揺動自在に連結されることでヘッドレストが背もたれ部の上部に位置する使用ポジションとこの使用ポジションよりも後方へ倒れた控えポジションとに姿勢変更可能になっており、この首関節部にはヘッドレストを使用ポジションで固定又は固定解除する首折れ操作手段が設けられている。
【０００６】
このような構成であると、この自転車用幼児座席を自転車の前部に前向きで装着した状態にし、この自転車用幼児座席に対して自転車のハンドル後方側から幼児を乗せたり降ろしたりする場合には、ヘッドレストを予め控えポジションにしておく（後方へ倒しておく）ということができる。ヘッドレストを後方へ倒すことで、自転車用幼児座席全体としての高さが低くなるので、その上方を超えさせるように幼児を持ち上げる高さも、低く抑えられるということである。
【０００７】
従って、幼児の乗せ降ろし時にヘッドレストが邪魔にならずに、容易に幼児を乗せ降ろしできるという利点が得られる。
上記首関節部は、次の箇所に設けることができる。即ち、ヘッドレストには支持脚が下方突設され、前記背もたれ部には支持脚を上下移動自在に嵌合保持する保持筒部が設けられ、この保持筒部に支持脚を複数高さ位置で固定又はこの固定を解除する高さ調節手段が設けられたものとし、更に上記支持脚はヘッドレストに一体的に設けられたネック片とこのネック片に連結された脚本体とを有したものとしたうえで、これらネック片と脚本体との連結部分で首関節部を形成させる。
【０００８】
このようにすると、ヘッドレストは使用ポジションと控えポジションとに姿勢変更できるだけでなく、高さ調節もできるようになる。従って、幼児の乗せ降ろしを更に一層、容易にできる利点がある。なお、言うまでもなく、ヘッドレストを使用ポジションにおいても高さ調節できるので、幼児の身長や着座姿勢にヘッドレストを柔軟に位置調整できるという利点もある。
【０００９】
首折れ操作手段は次の構成とすることが可能である。即ち、首折れ操作手段はネック片に設けられた操作部と脚本体に設けられた係止孔とを有しており、上記操作部は、ネック片に前後貫通して形成された保持孔に対して回転自在に保持された操作軸と、ネック片の正面側へ向く上記操作軸の軸端部に当該操作軸と一体回転可能に設けられた抜止片と、ネック片の背面側へ向く上記操作軸の軸端部に当該操作軸と一体回転可能に設けられた操作ツマミとを有し、上記係止孔は、上記抜止片が操作軸まわりで回転されることで抜止片を通過可能状態と通過不能状態とに切替可能にする開口形状に形成されたものとなっている。
【００１０】
このようにすることで、首折れ操作手段の操作が容易となる。また操作ツマミの回転位置を見ることで、その操作状態をすぐに確認することができるために、操作のし忘れを防止できる利点もある。
首折れ操作手段は次の構成とすることが可能である。即ち、操作軸にはその径方向へ突出した状態で可撓性を有するストッパ片が設けられた位置決め部材が当該操作軸と一体回転可能に設けられており、前記ネック片には上記位置決め部材のストッパ片が回転する領域内で当該ストッパ片と接触するが操作軸の回転力で当該ストッパ片が撓み変形を伴って乗り越え可能となる程度の突出量を有した位置決め突起が、ストッパ片を嵌め入れ可能な相互間隔をおいて複数設けられている。
【００１１】
このようにすることで操作ツマミを回転させる中にあって、適正な位置で止めることができる。また操作感として一操作ごとにクリック感が得られ、操作した手応えとして実感できる。
高さ調節手段は、背もたれ部の保持筒部に設けられこの保持筒部に嵌合された支持脚に向けて出退する方向で弾性変形可能とされた弾性支持片と、ヘッドレストの支持脚に上下方向に並んで設けられた凹凸列と、上記弾性支持片に設けられ支持脚の凹凸列と係脱自在とされた係合突部と、この係合突部が凹凸列に係合した状態にロックすべく弾性支持片を支持脚に向けて押圧するように締め付ける締結具とを有したものとすればよい。
【００１２】
このようにすると、ヘッドレストを上下調整する場合、締結具を緩めて、ヘッドレスト乃至支持脚を保持筒部に対して上下移動させることにより、支持脚の凹凸列に対して、弾性支持片の係合部が係合する支持脚の凹凸列の位置が上下に小刻みに変更されて、弾性支持片の係合部は支持脚の凹凸列に係合した状態を保持するため、ヘッドレスト乃至支持脚を上下移動した任意の位置で保持筒部に対して保持することできるため、ヘッドレスト乃至支持脚を所望の上下位置に移動させた後は、緩めた締結具を締め付ければ良く、極めて簡単でかつ精度よくヘッドレストを上下調整することができる。しかも、ヘッドレストを上下調整した後の締結具の締め付けにより、弾性支持片が支持脚側に押圧されて、支持脚の係合部が支持脚の凹凸列に強く圧接係合し、ヘッドレスト乃至支持脚は保持筒部に対して上下移動不能に確実にロックされる。従って、ヘッドレストの高さ調整を極めて簡単な操作で高精度でかつ確実になすことができる。
【発明の効果】
【００１３】
本発明に係る自転車用幼児座席は、幼児の乗せ降ろし時にヘッドレストが邪魔にならずに、容易に幼児を乗せ降ろしできる。
【発明を実施するための最良の形態】
【００１４】
以下、本発明の実施の形態を図面を参照して説明する。
図１乃至図３に示すように、本発明に係る自転車用幼児（子供）座席１は、座部２と背もたれ部３とを有する座席本体４を備え、座席本体４の背もたれ部３の上方にヘッドレスト５が高さ調整自在に設けられている。また座席本体４の座部２の前方側に荷かご６が設けられている。
【００１５】
座席本体４は、合成樹脂等により座部２と背もたれ部３と一体に形成され、背もたれ部３は、後壁部１１と左右一対の側壁部１２とを有し、座部２は背もたれ部３の後壁部１１の下端及び一対の側壁部１２の下端に一体に連結され、座部２の前部にはＵ字状に屈曲した左右一対の脚保持部１５が前方に突設されている。座席本体４は支持台１６を介して自転車１５０のハンドル１５１のハンドルステム１５２に着脱自在に取付られている。支持台１６は後端部中央に半割筒状の後挟持体１７を一体に有し、この後挟持体１７と、支持台１６とは別体の半割筒状の前挟持体１８との間で、ハンドル１５１のハンドルステム１５２を前後に挟持して、後挟持体１７と前挟持体１８とをボルト等の締結具で互いに締め付け固定することにより、支持台１６はハンドルステム１５２に後方突出状に固定されている。
【００１６】
座席本体４の前後方向中途部は、支持台１６の前端部に左右一対の前取付体２１を介して左右方向の支持軸２２廻りに回動自在に連結され、座席本体４の後端部は、支持台１６の後端部に後取付体２３を介して、締結具２４により上下調整自在に固定され、これにより座席本体４は支持台１６に対して支持軸２２廻りに傾斜調整可能に取り付けられている。
【００１７】
なお、前記荷かご６の後壁部には座席本体４に座った幼児の足を挿入するための左右一対の挿入孔が設けられ、荷かご６の底壁の後部に幼児の足を載せることができるように構成されている。
ヘッドレスト５には支持脚４５が下方突設されている。背もたれ部３の後壁部１１における左右中央となる上端部に、支持脚４５を上下移動自在に嵌合保持する保持筒部４６が設けられている。
【００１８】
図８及び図９に示すように、この保持筒部４６には、支持脚４５を複数高さ位置で固定又はこの固定を解除する高さ調節手段４４が設けられている。この高さ調節手段４４は、保持筒部４６に嵌合された支持脚４５に向けて出退する方向で弾性変形可能とされた弾性支持片４８と、支持脚４５に対して上下方向に並んで設けられた凹凸列５０と、弾性支持片４８に設けられ凹凸列５０と係脱自在とされた係合突部５１と、この係合突部５１が凹凸列５０に係合した状態をロックすべく弾性支持片４８を支持脚４５へ押圧するように締め付ける締結具５４とを有している。
【００１９】
弾性支持片４８は、保持筒部４６の後壁に２本のスリット４７を平行に設けることにより、これら両スリット４７間に形成されている。この弾性支持片４８の上端部には薄肉部４９が設けられ、弾性支持片４８は、薄肉部４９を支点に、保持筒部４６に嵌合された支持脚４５に向けて出退移動するような弾性変形を生起する。
係合突部５１は弾性支持片４８の前面で前向きに突出するように設けられ、凹凸列５０は支持脚４５の後面側に設けられている。
【００２０】
締結具５４は、保持筒部４６及び支持脚４５を貫通して挿通されるボルト５５と、このボルト５５に螺合される締付ナット５６とを有したものであり、支持脚４５にはボルト５５が挿通される上下方向の長孔５８（図４乃至図７参照）が設けられ、弾性支持片４８の中央部にボルト５５が挿通される取付孔５９が設けられている。
保持筒部４６の前壁には弾性支持片４８に対向して開口窓６１が設けられており、この開口窓６１には蓋体６２が嵌められ、この蓋体６２に設けられた取付孔６３に、締結具５４のボルト５５が差し通され、ボルト頭が係合された状態とされる。
【００２１】
このようなことから、締結具５４を締め込めば、弾性支持片４８が支持脚４５へ押圧され、係合突部５１が凹凸列５０に係合してロックすると共に、開口窓６１が蓋体６２によって確実に閉塞される。
図３で示したように、ヘッドレスト５は、後方ガード部７１と左右一対の側方ガード部７２とを有しており、幼児の頭部を後方及び側方から覆うことができるようになっている。これら後方ガード部７１及び左右の側方ガード部７２は、ＰＰ等の硬質合成樹脂により形成された硬質板部材６７を土台として、その内側に、エラストマー等より形成された軟質部材６８が内張り状に（二色形成により）設けられたものである。
【００２２】
図４乃至図７に示すように、支持脚４５は、ヘッドレスト５に一体的に設けられたネック片８０とこのネック片８０に連結された脚本体８１とを有しており、これらネック片８０と脚本体８１との連結部分に、軸心が左右方向へ向いたヒンジ軸８４を有する首関節部８５が設けられている。
ネック片８０（図１０及び図１１参照）には、脚本体８１の上端部を左右両側から挟み込む左右一対のヒンジレバー８６が下方突出状に設けられており、脚本体８１には、左側のヒンジレバー８６に対してその右側内面に当接するヒンジ片８７と、右側のヒンジレバー８６に対してその左側内面に当接するヒンジ片８７とが設けられている。そしてこれら左右のヒンジレバー８６とヒンジ片８７との各組み合わせにそれぞれ、ヒンジレバー８６とヒンジ片８７とを貫通する状態で上記したヒンジ軸８４が設けられている。
【００２３】
本実施形態においてヒンジ軸８４には、鍔付きの金属製軸であり、且つ、軸先端に段付きカラー８８及び抜止輪８９（図４にのみ示す）を挿通させた状態で先端を膨出変形させ、装着を完了させるタイプのものを用いている。このタイプの鍔付きの金属製軸は、装着前にシャンク部９０が設けられ、装着後にこのシャンク部９０を切除するようにする。
このような構成の首関節部８５により、ヘッドレスト５と背もたれ部３とは相対的に前後揺動自在となり、ヘッドレスト５は、背もたれ部３の上部に位置する使用ポジション（図５参照）と、この使用ポジションよりも後方へ倒れた控えポジション（図６参照）とに姿勢変更可能になっている。ネック片８０には、左右のヒンジレバー８６をそれらの後縁側で連結する状態で背板９２が設けられており、ヘッドレスト５が使用ポジションになったときにはこの背板９２が脚本体８１の上端部裏面に当接するようになり、それ以上、ヘッドレスト５が前方へ回動することはない。
【００２４】
この首関節部８５には首折れ操作手段９５が設けられている。この首折れ操作手段９５は、ヘッドレスト５を使用ポジションで固定したり、この固定を解除したりするためのものであって、ネック片８０に設けられた操作部１００と脚本体８１に設けられた係止孔１０１とを有している。
操作部１００は、ネック片８０に前後貫通して形成された保持孔１０５（図１０及び図１１参照）に対して回転自在に保持された操作軸１０６（図１２及び図１３参照）と、この操作軸１０６においてネック片８０の正面側へ向く軸端部に設けられた抜止片１０７（図１２及び図１３参照）と、操作軸１０６においてネック片８０の背面側へ向く軸端部に設けられた操作ツマミ１０８（図１４及び図１５参照）とを有している。
【００２５】
図１２及び図１３に示すように、本実施形態では操作軸１０６と抜止片１０７とは一体形成されたものとしてあり、従って当然にこれら操作軸１０６と抜止片１０７とは一体回転する。また操作軸１０６において操作ツマミ１０８が設けられる側の軸端部１０６ａは正方形状断面の角棒状としてあり、且つ、更にその先端は、軸方向でこの角棒状の軸端部１０６ａを半割にした形状とされている。
【００２６】
これに対し、図１４及び図１５に示すように、操作ツマミ１０８は操作軸１０６の先端（角棒状の軸端部１０６ａを半割にした部位）をガタツキ無く嵌め入れ可能な角孔状の嵌合凹部１１０が設けられている。このようなことから、操作ツマミ１０８も操作軸１０６と一体回転可能になっている。
上記操作軸１０６にはその軸心部分に貫通孔１１２が形成され、この貫通孔１１２が抜止片１０７も突き抜けている。この貫通孔１１２は抜止片１０７寄りで径大になる段付き孔となっている。また操作ツマミ１０８の中心にも貫通孔１１３が設けられており、この貫通孔１１３はツマミ外方側で径大になる段付き孔となっている。
【００２７】
そして図４に示すように、ネック片８０の正面側から保持孔１０５に対して操作軸１０６を挿入し、保持孔１０５を突き抜けてネック片８０の背側へ出た軸端部１０６ａへ操作ツマミ１０８を嵌め付けると共に、抜止片１０７側から貫通孔１１２へ連結軸１１４を差し込み、操作ツマミ１０６の貫通孔１１３内へ抜止輪１１５を嵌め付け、その先端を膨出変形させて装着を完了させる。
【００２８】
この連結軸１１４は、上記ヒンジ軸８４に用いたのと同じように鍔付きの金属製軸であって、装着前にはシャンク部１１６を具備し、装着後にこのシャンク部１１６を切除するようにする。
抜止片１０７は操作軸１０６まわりで回転非対称形に形成されている。本実施形態では操作軸１０６の径方向両側へ向けて、同じ長さだけ長方形状に張り出したものとしてある。
【００２９】
脚本体８１に設けられた係止孔１０１は、抜止片１０７が操作軸１０６まわりで回転されることで抜止片１０７を通過可能状態と通過不能状態とに切替可能にする開口形状に形成されたものとなっている。上記のように本実施形態では抜止片１０７を長方形状に形成させてあるので、この係止孔１０１も長方形状の開口形状としてある。
すなわち、係止孔１０１の長方形状開口に対して抜止片１０７の長方形状を重ね合わせる状態（同じ向きにした状態）では、抜止片１０７は係止孔１０１を通過できることになり、この状態から抜止片１０７を９０°回転させて係止孔１０１の長方形状開口に対して抜止片１０７の長方形状を交差させると、抜止片１０７は係止孔１０１を通過できないことになる。
【００３０】
図１２及び図１３で示したように、操作軸１０６は、径大部１０６ｂと径小部１０６ｃとが軸方向に並んだ段付き軸とされており、径大部１０６ｂが抜止片１０７との接合寄りの部分とされ、径小部１０６ｃが操作ツマミ１０８との接合寄りの部分とされている。これら径大部１０６ｂ及び径小部１０６ｃは、いずれも断面円形とされており、径大部１０６ｂは係止孔１０１内でガタツキのない嵌合関係を有する寸法とされ、径小部１０６ｃは保持孔１０５内でガタツキのない嵌合関係を有する寸法とされている。
【００３１】
操作軸１０６には位置決め部材１２０が設けられている。この位置決め部材１２０は操作軸１０６の径方向へ突出した状態で可撓性を有するストッパ片１２１を有したもので、操作ツマミ１０８の嵌合凹部１１０（図１４及び図１５参照）と一緒に、操作軸１０６における角棒状の軸端部１０６ａ（図１２及び図１３参照）へガタツキ無く挿通される。従って、この挿通のため、位置決め部材１２０には角孔状の開口部１２２が設けられている。すなわちこの位置決め部材１２０も操作軸１０６と一体回転する。
【００３２】
図４、図１０及び図１１に示すように、ネック片８０には、位置決め部材１２０のストッパ片１２１が回転する領域内、すなわち、保持孔１０５の開口周部に複数の位置決め突起１３０が設けられている。各位置決め突起１３０は、位置決め部材１２０の回転時にはストッパ片１２１と接触するが、操作軸１０６の回転力でストッパ片１２１が撓み変形を伴って乗り越え可能となる程度の突出量を有している。
【００３３】
本実施形態において位置決め突起１３０は、９０°おきに計４個設けてあり、各位置決め突起１３０の相互間隔は、ストッパ片１２１を嵌め入れ可能な寸法としてある。
以上詳説したところから明らかなように、本発明に係る自転車用幼児座席１では、図１に示したようにこれを自転車１５０の前部に前向きで装着した状態にし、この自転車用幼児座席１に対して自転車１５０のハンドル１５１の後方側から幼児を乗せたり降ろしたりする場合には、首折れ操作手段９５の操作部１００を操作し、ヘッドレスト５を予め控えポジションにする（後方へ倒す）。
【００３４】
ヘッドレスト５を後方へ倒せば、自転車用幼児座席１全体としての高さが低くなるので、その上方を超えさせるように幼児を持ち上げる高さも、低く抑えられる。そのため、幼児の乗せ降ろし時にヘッドレスト５が邪魔にならずに、容易に幼児を乗せ降ろしできる。
幼児を自転車用幼児座席１へ載せた後は、ヘッドレスト５を使用ポジションに戻し（前方へ起こし）、首折れ操作手段９５の操作部１００を操作して、ヘッドレスト５を固定すればよい。
【００３５】
首折れ操作手段９５の操作部１００を操作するにあって、操作ツマミ１０８の回転は、位置決め部材１２０のストッパ片１２１が保持孔１０５まわりの位置決め突起１３０を乗り越えて係合する作用を受けて、適正な位置で止めることができる。また操作感として一操作ごとにクリック感が得られるため、操作した手応えとして実感できる。このように、首折れ操作手段９５の操作は容易である。また操作ツマミ１０８の回転位置を見ることで、その操作状態をすぐに確認することができるために、操作のし忘れを防止できる利点もある。
【００３６】
ヘッドレスト５は使用ポジションと控えポジションとに姿勢変更できるだけでなく、高さ調節手段４４によって高さ調節もできる。従って、この高さ調節も併用すれば幼児の乗せ降ろしを更に一層、容易にできる。
ヘッドレスト５を高さ調節する場合は、高さ調節手段４４の締結具５４を緩め、ヘッドレスト５を上下動させてヘッドレスト５を所望高さにしたうえで、緩めた締結具５４を締め付ける。これだけの操作で、弾性支持片４８の係合突部５１が支持脚４５の凹凸列５０に押圧され、係合状態がロックされ、ヘッドレスト５は調節後の高さで確実に固定されることになる。このように、ヘッドレスト５の高さ調節は極めて簡単な操作で高精度、且つ確実に行えるのである。
【００３７】
ところで、本発明に係る自転車用幼児座席１は、上記実施形態に限定されるものではなく、実施の形態に応じて適宜変更可能である。
この自転車用幼児座席１は、自転車１５０の前部に装着することが限定されるものではなく、自転車１５０の後部に装着してもよい。
首折れ操作手段９５の操作部１００に用いられる操作軸１０６と抜止片１０７とは別体としてもよい。
【００３８】
また、前記実施の形態では、シャンク部９０を有したヒンジ軸８４をかしめること等により支持脚４５にヘッドレスト５をヒンジ軸８４廻りに屈曲自在に連結するようにしているが、これに代え、ネジ軸その他を使用することによって支持脚４５にヘッドレスト５を屈曲自在に連結するようにしてもよい。
【図面の簡単な説明】
【００３９】
【図１】本発明に係る自転車用幼児座席の一実施形態を自転車の前部に装着した状態として示した側面図である。
【図２】図１の自転車用幼児座席を拡大して示した側面図である。
【図３】図１の自転車用幼児座席を拡大して示した斜視図である。
【図４】ヘッドレストの支持脚を分解して示した斜視図である。
【図５】ヘッドレスト及び支持脚を使用ポジションにした状態で示した一部破砕側面図である。
【図６】ヘッドレスト及び支持脚を控えポジションにした状態で示した一部破砕側面図である。
【図７】ヘッドレスト及び支持脚を使用ポジションにした状態で示した背面図である。
【図８】図２のＡ部を拡大して示した側断面図である。
【図９】図８のＢ−Ｂ線の対応部位を拡大して示した平面図である。
【図１０】支持脚をネック片と脚本体とに分解した状態でヘッドレスト及びネック片を示した背面図である。
【図１１】図１０のＣ−Ｃ線拡大断面図である。
【図１２】首折れ操作手段の操作部に用いられる操作軸及び抜止片を示した側面図である。
【図１３】図１２のＤ−Ｄ線矢視図である。
【図１４】首折れ操作手段の操作部に用いられる操作ツマミを示した裏面図である。
【図１５】図１４のＥ−Ｅ線断面図である。
【図１６】首折れ操作手段の操作部に用いられる位置決め部材を示した平面図である。
【図１７】図１６に対応する側面図である。
【符号の説明】
【００４０】
１  自転車用幼児座席
２  座部
３  背もたれ部
４  座席本体
５  ヘッドレスト
４４  高さ調節手段
４５  支持脚
４６  保持筒部
４７  スリット
４８  弾性支持片
５０  凹凸列
５１  係合突部
５４  締結具
８４  ヒンジ軸
８５  首関節部
９５  首折れ操作手段
８０  ネック片
８１  脚本体
１００  操作部
１０１  係止孔
１０５  保持孔
１０６  操作軸
１０６ａ  軸端部
１０７  抜止片
１０８  操作ツマミ
１２１  ストッパ片
１２０  位置決め部材
１３０  位置決め突起
【図１】
0004521361.tif 000002
【図２】
0004521361.tif 000003
【図３】
0004521361.tif 000004
【図４】
0004521361.tif 000005
【図５】
0004521361.tif 000006
【図６】
0004521361.tif 000007
【図７】
0004521361.tif 000008
【図８】
0004521361.tif 000009
【図９】
0004521361.tif 000010
【図１０】
0004521361.tif 000011
【図１１】
0004521361.tif 000012
【図１２】
0004521361.tif 000013
【図１３】
0004521361.tif 000014
【図１４】
0004521361.tif 000015
【図１５】
0004521361.tif 000016
【図１６】
0004521361.tif 000017
【図１７】
0004521361.tif 000018